(57)【要約】【課題】関節部に貼付する場合でも容易にかつ皺が発生することが少なく貼付することができ、貼付時は、関節の動きを適度に制限しテーピング効果が得られ、衣服に擦れても剥れ難く衣服に付きにくい関節部貼付材を提供すること。【解決手段】縦横のうち少なくとも１方向に伸縮性を有する支持体と、粘着剤とを積層してなる関節部貼付材において、外方が開口する凹部１０を挟んで対峙する一対の腕部１１，１１と、両腕部の基端部を連結する連結部１２とからなる横長Ｕ字型に形成し、凹部の内周部横幅をｘ、凹部の内周部深さをｄ、腕部の横幅をｗ、凹部と連結部を含む外周縦幅をhとしたとき、ｘ＝４０±２０（ｍｍ）、ｄ＝０．７ｘ〜１．５ｘ（ｍｍ）、ｗ＝２５〜２ｘ（ｍｍ）、ｈ＝ｄ＋２５〜１．３（ｘ＋２ｗ）（ｍｍ）とする。支持体の１０％引張荷重が１．０Ｎ／２５ｍｍ以下、５０％引張荷重が１５Ｎ／２５ｍｍ以下、剛軟度が、１１〜２５ｍｍの範囲である。【選択図】図２
2018029859.tif 000002
【特許請求の範囲】
【請求項１】
支持体と、粘着剤とを積層してなる関節部貼付材であって、
外方が開口する凹部を挟んで対峙する一対の腕部と、両腕部の基端部を連結する連結部とからなる横長Ｕ字型に形成され、
上記凹部の内周部横幅をｘ、上記凹部の内周部深さをｄ、上記腕部の横幅をｗ、上記凹部と上記連結部を含む外周縦幅をhとしたとき、
ｘ＝４０±２０（ｍｍ）、
ｄ＝０．７ｘ〜１．５ｘ（ｍｍ）、
ｗ＝２５〜２ｘ（ｍｍ）、
ｈ＝ｄ＋２５〜１．３（ｘ＋２ｗ）（ｍｍ）であり、
貼付の際に関節部の屈曲方向となる支持体方向において伸縮性を有するように、上記支持体が、縦横２方向のうち少なくとも１方向に伸縮性を有し、
上記伸縮性を有する方向への１０％引張荷重が１．０Ｎ／２５ｍｍ以下の範囲、５０％引張荷重が１５Ｎ／２５ｍｍ以下の範囲、剛軟度が、１１〜２５ｍｍの範囲である、
ことを特徴とする関節部貼付材。
【請求項２】
請求項1記載の関節部貼付材において、
前記両腕部の開口側の先端角部が凸円弧状に形成されると共に、上記両腕部の基端側と前記連結部を結ぶ外側辺が内方に凹んだ緩やかな曲線状に形成されている、ことを特徴とする関節部貼付材。
【請求項３】
請求項１又は２に記載の関節部貼付材において、
上記連結部における上記凹部と対向する外側辺が凹円弧状に形成されている、ことを特徴とする関節部貼付材。
【請求項４】
請求項１ないし３のいずれかに記載の関節部貼付材において、
上記粘着剤に、サリチル酸メチル、l-メントール、カンフル、ノニル酸ワニリルアミド等の薬効成分を１種又は２種以上含有してなる、ことを特徴とする関節部貼付材。
【請求項５】
請求項１ないし４のいずれかに記載の関節部貼付材において、
上記支持体と粘着剤の積層体の総厚が０．５５〜０．７５ｍｍの範囲である、ことを特徴とする関節部貼付材。
【請求項６】
請求項１ないし５のいずれかに記載の関節部貼付材において、
上記粘着剤に対して剥離可能なライナーを更に具備し、上記ライナーは、上記凹部の底部における中心から偏倚した位置と上記連結部の曲線状外側辺の位置とを結ぶ一対のスリットによって三分割に形成されている、ことを特徴とする関節部貼付材。
【請求項７】
請求項６に記載の関節部貼付材において、
上記スリットが波形曲線状に形成されている、ことを特徴とする関節部貼付材。
【発明の詳細な説明】
【技術分野】
【０００１】
本発明は、関節部貼付材に関するもので、更に詳細には、膝や肘、手首、足首等の関節部に貼付することに適した関節部貼付材に関するものである。
【背景技術】
【０００２】
一般に、膝や肘等の関節部の痛みに対しては、膏体にメントール等を含有させた消炎鎮痛剤が使用されている。消炎鎮痛剤は薄手の編布やフィルム支持体を用いた方形や小型円形が一般的であるが、膝や肘などの関節部に貼付する際には、以下のような問題点がある。
【０００３】
・ 支持体にコシがなかったりカールしたりするため、扱いにくく貼りにくい。
・ 関節部に貼ると屈曲時に突っ張り感があり不快。
・ エッジが浮くと支持体が薄いため丸まってしまい、衣服にくっつくため不快感を与える。
・ 方形で3ピースのライナーの製品があり平面部分には貼りやすいが、関節突起部ではライナーを剥がす際に皺が入り易く貼りにくい。
・ 小型円形は関節部を包みこむように貼ることができないため、痛みが強い場合は複数枚貼らないと満足できる効き目感が得られない。
【０００４】
一方、関節部をテーピングにより固定することで痛みを軽減することがあり、粘着シートを一定の形状に予め裁断したプレカットテープは、通常の短冊状のテーピングテープと違って専門的な貼付知識がなくても容易に素早く貼付できるという特長がある。
【０００５】
従来、Ｕ字型であってＵ字の湾曲底辺のなす角度が特定の形状の膝部用粘着部材が開示されている（例えば、特許文献１）。特許文献１に記載の粘着部材は、Ｕ字端部を引っ張って伸張させながら膝関節の上下を囲むように横向きに貼付して使用する。
【０００６】
また、歩行時に膝の痛みを緩和する膝用サポーター（例えば、特許文献２参照）やテーピング機能を有する膝部を保護する下半身用被服，下肢部保護衣料等の圧着ストッキングが知られている（例えば、特許文献３，４参照）。
【先行技術文献】
【特許文献】
【０００７】
【特許文献１】特開２００５−２８０２５号公報
【特許文献２】特開２０１６−４７９６８号公報
【特許文献３】特公平６−４１６４１号公報
【特許文献４】特許第３０１２８１９号公報
【発明の概要】
【発明が解決しようとする課題】
【０００８】
しかしながら、特許文献１に記載の粘着部材においては、Ｕ字端部を引っ張って伸張させながら膝関節の上下を囲むように横向きに貼付して使用するため、皮膚刺激を生じないように伸ばし過ぎないことが必要であり、貼るのに手間がかかる懸念がある。また、膝蓋骨及びその上部の皮膚は衣服との摩擦が大きいため、テープがあることで違和感を感じたり、テープの端がめくれたり衣服にくっついたりしたときに不快感や剥がれる痛みがあったり、膝の屈曲を妨げたりする懸念がある。また、膝の側面を覆う形状なので膝屈曲時にその部分に皺が寄り易くそのため皮膚刺激が起き易い、膝専用で貼付部位が限定される、という懸念がある。
【０００９】
また、特許文献１に記載の粘着部材によれば、膝蓋骨を囲むようにテープで圧迫固定することで膝蓋骨の横揺れを抑えることができるが、膝蓋骨の上部をテープで圧迫することにより膝蓋骨及び大腿四頭筋腱の動きを妨げてしまう。膝の屈伸運動が強く制限されると大腿四頭筋の筋力の衰えを招くため、長期的には膝痛改善に対して効果的とは言いがたい。
【００１０】
また、特許文献２，３，４に記載のものは、人体を筒状に覆い締め付けることにより圧迫するため、合わないサイズを使用してしまったときや、姿勢によっては過度に締め付けてしまい血行不良を起こしたり、長時間着用すると蒸れてしまったり、ずれてしまったり、繰り返し使用するうちに素材が伸びてしまい効果が減衰してしまうという問題点があった。
【００１１】
したがって、貼付時に伸ばしたりせず、自然に貼付するだけで関節部に対して圧迫力が得られ、長時間使用してもずれず、患部以外は締め付けや蒸れがなく、突っ張り感の少ない関節貼付材が望まれている。特に、関節部に痛みを抱えるシニア層にも自分で手軽に貼付することができ、テーピング効果を得ることができる関節部貼付材が望まれている。
【００１２】
本発明は、上記事情に鑑みてなされたもので、関節部に貼付する場合でも容易にかつ皺が発生することが少なく貼付することができ、貼付時は、関節の動きを適度に制限しテーピング効果が得られ、衣服に擦れても剥れ難く衣服に付きにくい関節部貼付材を提供することを目的とする。
【課題を解決するための手段】
【００１３】
上記課題を解決するために、本発明は、支持体と、粘着剤とを積層してなる関節部貼付材であって、外方が開口する凹部を挟んで対峙する一対の腕部と、両腕部の基端部を連結する連結部とからなる横長Ｕ字型に形成され、上記凹部の内周部横幅をｘ、上記凹部の内周部深さをｄ、上記腕部の横幅をｗ、上記凹部と上記連結部を含む外周縦幅をhとしたとき、
ｘ＝４０±２０（ｍｍ）、
ｄ＝０．７ｘ〜１．５ｘ（ｍｍ）、
ｗ＝２５〜２ｘ（ｍｍ）、
ｈ＝ｄ＋２５〜１．３（ｘ＋２ｗ）（ｍｍ）であり、
貼付の際に関節部の屈曲方向となる支持体方向において伸縮性を有するように、上記支持体が、縦横２方向のうち少なくとも１方向に伸縮性を有し、上記伸縮性を有する方向への１０％引張荷重が１．０Ｎ／２５ｍｍ以下の範囲、５０％引張荷重が１５Ｎ／２５ｍｍ以下の範囲、剛軟度が、１１〜２５ｍｍの範囲である、ことを特徴とする（請求項１）。
【００１４】
このように構成することにより、本発明に係る貼付材を、親指、くるぶし、肘、膝等の各関節に装着した場合に、関節の一部を開放した状態で関節の突起部分を凹部と一対の腕部とで包み込むようにして貼付することができ、好適なサポート感やフィット感を得ることができる。
また、支持体と粘着剤の積層体の剛軟度が１１ｍｍより小さいと貼るときにコシがなく皺が生じてしまい十分なサポート感やホールド感が得られず、また、支持体と粘着剤の積層体の剛軟度が２５ｍｍより大きい、または１０％引張荷重が１．０Ｎ／２５ｍｍよりも大きい、または５０％引張荷重が１５Ｎ／２５ｍｍよりも大きいと、関節部を曲げ伸ばしした際に突っ張り感を感じたり、皮膚に負荷がかかるため皮膚刺激を引き起こす虞がある。
【００１５】
また、１０％引張荷重とは、所定形状の試験片を、所定速度で１０％まで引っ張った時の引張荷重をいい、５０％引張荷重とは、所定形状の試験片を、所定速度で５０％まで引っ張った時の引張荷重をいう。また、剛軟度とは、所定形状の試験片を、所定角度の斜面をもつ水平台の上に試験片をスケール基線に合わせて置き、試験片を滑らせて所定時間以内に試験片が倒れた時のスケールから読み取った試験片の移動した長さをいう。
【００１６】
本発明に係る貼付材は、貼付部位としては、親指、くるぶし、肘、膝等の各関節があるが、各貼付部位に応じて好適なサイズの範囲があり、また、各個人の身体の大きさに応じても好適なサイズが異なるので、本発明に係る貼付材はそれに応じたサイズのものが含まれる。
【００１７】
本発明において、上記両腕部の開口側の先端角部が凸円弧状に形成されると共に、上記両腕部の基端側と上記連結部を結ぶ外側辺が内方に凹んだ緩やかな曲線状に形成されているのが好ましい（請求項２）
【００１８】
このように構成することにより、両腕部の基端側と連結部を結ぶ外側辺が内方に凹んだ緩やかな曲線状に形成することで、全体的にめくれあがるのを抑制することができる。
【００１９】
また、本発明において、上記連結部における上記凹部と対向する外側辺が凹円弧状に形成されているのが好ましい（請求項３）。このように構成することにより、全体的にめくれあがるのを抑制することができる。
【００２０】
また、本発明において、上記粘着剤に、サリチル酸メチル、l-メントール、カンフル、ノニル酸ワニリルアミド等の薬効成分を１種又は２種以上含有するのが好ましい（請求項４）。
【００２１】
このように構成することにより、薬効成分による消炎鎮痛剤の浸透で関節痛を緩和することができる。
【００２２】
また、本発明において、貼りやすくするためのコシがあり、関節部に貼付したときにサポート感やホールド感が感じられ、衣服に引っかかってめくれるのを抑制するために、また、貼付時の関節部の負担を軽減するために、関節部貼付材としての物性は、上記支持体と粘着剤の積層体の総厚が０．５５〜０．７５ｍｍの範囲であるのが好ましい（請求項５）。
【００２３】
ここで、支持体と粘着剤の積層体の総厚が０．５５ｍｍより薄いと、関節部に貼付したときにサポート感やホールド感が不十分であり、また、０．７５ｍｍより厚いと、衣服との摩擦が生じやすくなる。
【００２４】
加えて、本発明において、上記粘着剤に対して剥離可能なライナーを更に具備し、上記ライナーは、上記凹部の底部における中心から偏倚した位置と上記連結部の曲線状外側辺の位置とを結ぶ一対のスリットによって三分割に形成されているのが好ましい（請求項６）。この場合、上記スリットは直線上であっても差し支えないが、好ましくは波形曲線状に形成されているのがよい（請求項７）。
【００２５】
このように構成することにより、貼付する際に三分割されたライナーを１枚ずつ剥がして関節部に貼付することができる。この場合、三分割された中央部を広くすることができるので、位置合わせを容易にすることができる。また、スリットは対角線に近い位置に設けられるので、剥離時の向きを大きく変えることがなく、貼り皺を抑制することができる。また、この場合、スリットを波形曲線状に形成することにより、２〜３枚目のライナーのつかみ部を３箇所設けることができ、ライナーの剥離を容易にすることができる（請求項７）。
【発明の効果】
【００２６】
本発明によれば、上記のように構成されるので、以下のような効果が得られる。
【００２７】
（１）請求項１〜３に記載の発明によれば、関節の一部を開放した状態で関節の突起部分を凹部と一対の腕部とで包み込むようにして貼付することができるので、関節部に貼付する場合でも容易にかつ皺が発生することが少なく貼付することができる。また、関節を包み込むように貼付することにより関節の動きを適度に制限しテーピング効果が得られる。また、両腕部の基端側と連結部を結ぶ外側辺が内方に凹んだ緩やかな曲線状に形成することで、全体的にめくれあがるのを抑制することができる。
【００２８】
（２）請求項４に記載の発明によれば、上記（１）に加えて、更に薬効成分による消炎鎮痛剤の浸透で関節痛を緩和することができる。したがって、関節痛で運動を敬遠している者にとっては、運動ができるレベルまで痛みを和らげることができる。
【００２９】
（３）請求項５に記載の発明によれば、上記（１），（２）に加えて、更に容易にかつ皺が発生することが少なく貼付することができ、その支持体の性状、形状から端部が衣服に擦れても剥れ難く、剥れても支持体側に丸まり難いため衣服にくっつき難くすることができる。また、貼付時の関節部の負担を軽減できる。
【００３０】
（４）請求項６に記載の発明によれば、貼付する際に三分割されたライナーを１枚ずつ剥がして関節部に貼付することができるので、上記（１）〜（３）に加えて、更に容易にかつ確実に貼付することができる。この場合、スリットを波形曲線状に形成することにより、２〜３枚目のライナーのつかみ部を３箇所設けることで、ライナーの剥離を容易にすることができるので、更に容易にかつ確実に貼付することができる（請求項７）。
【図面の簡単な説明】
【００３１】
【図１】本発明に係る関節部貼付材の表面図（ａ）、裏面図（ｂ）及び（ｂ）のＩ−Ｉ線に沿う拡大断面図（ｃ）である。
【図２】本発明に係る関節部貼付材の形状を説明する概略表面図である。
【図３】本発明におけるライナーの一部を剥がした状態を示す裏面図である。
【図４】本発明に係る関節部貼付材を膝に貼付した異なる状態を示す斜視図である。
【図５】評価試験に用いる実施例と比較例の試験片の形状を示す説明図である。
【発明を実施するための形態】
【００３２】
以下に、本発明に係る関節部貼付材の実施形態を添付図面に基づいて詳細に説明する。
【００３３】
本発明に係る関節部貼付材１（以下に、貼付材１という）は、図１ないし図３に示すように、縦横２方向に伸縮性を有する支持体２と、粘着剤３と、粘着剤３に剥離可能なライナー４とを積層した三層構造に形成されている。
【００３４】
貼付材１は、外方が開口１０ａする凹部１０を挟んで対峙する一対の腕部１１，１１と、両腕部１１，１１の基端部を連結する連結部１２とからなる横長Ｕ字型に形成されている。
【００３５】
また、両腕部１１，１１の開口１０ａ側の先端角部が凸円弧状に形成されると共に、両腕部１１，１１の基端側と連結部１２を結ぶ外側辺１４が、内方に凹んだ凹円弧部１３ａを有する緩やかな曲線状に形成されている。また、連結部１２における凹部１０と対向する外側辺が凹円弧状に形成されている。この場合、貼付材１の凹部１０の底部１０ｂは緩やかなＶ字状に形成されており、貼付材１は、凹部１０の中心を通る中心線Ｃに関して左右対称に形成されている。なお、連結部１２における凹部１０と対向する外側辺の中央に凹円弧部１３ｂが形成されている。
【００３６】
上記のように形成される貼付材１において、凹部１０の内周部横幅をｘ、凹部１０の内周部深さをｄ、腕部１１の横幅をｗ、凹部１０と連結部１２を含む外周縦幅をｈとしたとき、
ｘ＝４０±２０（ｍｍ）、ｄ＝０．７ｘ〜１．５ｘ（ｍｍ）、ｗ＝２５〜２ｘ（ｍｍ）、ｈ＝ｄ＋２５〜１．３（ｘ＋２ｗ）（ｍｍ）に設定するのが好ましい。
【００３７】
本発明に係る貼付材は、貼付部位としては、親指、くるぶし、肘、膝等の各関節があるが、各貼付部位に応じて好適なサイズの範囲があり、また、各個人の身体の大きさに応じても好適なサイズが異なるので、本発明に係る貼付材はそれに応じたサイズのものが含まれる。
【００３８】
＜ｘについて＞
ｘは各関節に応じて好適な範囲があり、ｘが小さすぎる場合、大きすぎる場合に次のような問題が生じる。
【００３９】
●膝の場合
・ｘが小さいと、膝を屈曲する際に突っ張りやすい。
・ｘが大きいと、膝蓋骨に対して内周部が広すぎて膝蓋骨の横揺れを抑えることができないため、膝関節におけるサポート感やホールド感が得られない。
【００４０】
●肘の場合
・ｘが小さいと、肘を屈曲する際に突っ張りやすい。
・ｘが大きいと、肘関節の突起部に対して大きすぎるため、サポート感やホールド感が得られない。また、炎症が起こりやすい部位（バックハンドテニス肘では上腕骨外側上顆と手根伸筋の起始部、フォアハンドテニス肘やゴルフ肘では上腕骨内側上顆、内側型野球肘では内側上顆や内側側副靭帯、外側型野球肘では上腕骨頭）を覆うことができず、圧迫や薬物到達ができない。
【００４１】
●親指（腱鞘炎等）の場合
・ｘが小さいと、親指の付け根を囲みにくいため貼付材に皺が入りやすくなる。また、フィット感が損なわれる。
・ｘが大きいと、他の指や手のひらにかかってしまうため、貼付材に皺が入りやすくなる。また、フィット感が損なわれる。
【００４２】
●くるぶしの場合
・ｘが大きいと、内反捻挫で損傷することが多い前距腓靭帯や踵腓靭帯を覆うことができず、サポート感やホールド感が得られない。
ただし、最小貼付部位である親指、および最大貼付部位である膝を考慮すると、ｘは２０ｍｍより大きく、６０ｍｍより小さい。
【００４３】
なお、本発明の効果を奏するように、Ｕ字型の外形の各寸法は、前記のようにｘに応じて一定の範囲に制限されるが、その理由は次の通りである
【００４４】
＜ｗについて＞
・ｗが２５ｍｍより小さいと、貼付材両腕部が関節を支えることができないため十分なサポート感やホールド感を得られない。また、付着面積が少ないため剥がれやすくなる。
・ｗが２ｘより大きいと、関節の側面に貼付材がかかってしまうため屈曲時に貼付材に皺が入り剥がれやすかったり、皮膚刺激の原因となる。また、関節の内側（膝の裏側）まで貼付材が回り込んでしまい、貼付材が突っ張るため屈曲動作を妨げたり、蒸れやかゆみを引き起こしたりする。
【００４５】
＜ｄについて＞
・dが０．７ｘより小さいと、膝蓋骨や関節突起部分を十分に支えることができない。
・dが１．５ｘより大きいと、関節を一周囲んでしまう。剥がれやすくなったり、靭帯の動きを妨げてしまう。
【００４６】
＜ｈについて＞
・ｈが（ｄ＋２５）より小さいと、貼付材の凹部が関節を支えることができないため十分なサポート感やホールド感を得られない。また、付着面積が少ないため剥がれやすくなる。
・ｈが１．３（ｘ＋２ｗ）より大きいと貼付面積が広すぎるため装着する際に煩わしいし、貼付時に両腕端部が重なりがちで、その場合厚みが厚くなり衣服等と擦れて剥れやすくなる。
【００４７】
＜支持体＞
支持体２は、関節部を支持するためサポート感やホールド感をもたらす厚みとコシの強さが必要である。一方、関節部を包み圧迫しつつも関節の曲げ伸ばしにある程度追従するように、適度な伸張性、伸縮性を有することが必要である。また、貼付し易さ、すなわち手での取り扱い性のためにある程度のコシの強さがあることが望ましい。
【００４８】
そのため、素材としては、布が好ましく、中でも編布が好ましく、緯編が特に好ましい。また、材質は、ポリプロピレン、ポリエチレン、ポリエステル、ポリアミド、ポリウレタン、レーヨン等が使用できるが、中でもポリエステルが好ましい。最も好ましい実施形態は、ポリエステル糸の緯編で、糸の太さは、７５デニール程度、目付が１４０〜２１０g/ｍ2程度の厚手であるのがよい。
【００４９】
＜粘着剤＞
粘着剤３としては、アクリル系、ゴム系、シリコーン系等の一般的な粘着剤を用いることができるが、これらの中でも、ゴム系あるいはアクリル系粘着剤が好ましい。
【００５０】
好ましいゴム系粘着剤としては、例えば、天然ゴム、スチレンーイソプレンースチレンブロック共重合体、ポリイソブチレン、ポリブテン、ポリイソプレン、これらの２種以上の混合物等のゴム状弾性体に、ロジン系樹脂、テルペン系樹脂、クマロンーインデン樹脂、石油系樹脂等の粘着付与剤を添加したものを挙げることができる。ゴム系粘着剤には、必要に応じて、液状ポリブテン、液状ポリイソブチレン、オイル等の軟化剤；酸化チタン、酸化亜鉛等の充填剤；ブチルヒドロキシトルエン等の酸化防止剤等を添加することができる。これらの中でも、粘着性の観点から、スチレンーイソプレンースチレンブロック共重合体を主ゴム状弾性体としたものが好ましい。
【００５１】
好ましいアクリル系粘着剤としては、例えば、炭素数が４〜１２のアルキル基を有する（メタ）アクリル酸アルキルエステル７０〜９６重量％、（メタ）アクリル酸アルコキシポリアルキレングリコールエステル０〜２９重量％、水酸基やカルボキシ基などの官能基含有モノマー１〜１０重量％、及びその他の共重合可能なビニルモノマー０〜２５重量％を共重合した共重合体が挙げられる。
【００５２】
アクリル系粘着剤としては、所定量の各モノマーをトルエン等の有機溶剤中に溶解し、窒素雰囲気中で、昇温下攪拌し、過酸化物等の反応開始剤を使用して重合させた後、そのままあるいは有機溶剤にて希釈したものを用いることができる。
【００５３】
アクリル系粘着剤は、重合体のままでは一般に凝集力が乏しく、剥離時に皮膚表面に粘着剤が残留することがあるので、多官能性化合物からなる架橋剤等を粘着剤液に添加すること等により架橋を施すことが好ましい。また、アクリル系粘着剤は、透湿性や通気性を付与するために、粘着剤層形成工程において、粘着剤中に微細な気泡を含有させてもよい。
【００５４】
貼りやすくするためのコシがあり、関節部に貼付したときにサポート感やホールド感が感じられ、また、衣服に引っかかってめくれるのを抑制するためと、貼付時の関節部の負担を考慮する必要がある。そのため、支持体２と粘着剤３の積層体の総厚が０．５５〜０．７５ｍｍの範囲であり、積層体としての物性は、少なくとも貼付の際に関節部の屈曲方向となる支持体方向において、(1)１０％引張荷重が１．０Ｎ／２５ｍｍ以下の範囲、(2)５０％引張荷重が１５Ｎ／２５ｍｍ以下の範囲、(3)剛軟度が１１〜２５ｍｍの範囲が好ましい。更には縦横両方向とも、上記の範囲の物性であることが特に好ましい。
【００５５】
なお、粘着剤３には、サリチル酸メチル、l-メントール、カンフル、ノニル酸ワニリルアミド等の薬効成分が１種又は２種以上含有されても良い。
【００５６】
＜ライナー＞
ライナー４は貼付材１に用いる剥離体で、粘着剤３層を保護する目的で、粘着剤３層における支持体２が設けられた面とは反対側の面に剥離可能な状態で設けられる。ライナー４としては、貼付材の分野で慣用の、剥離紙、剥離フィルム等を用いることができる。例えば、シリコーン離型処理した上質紙、グラシン紙等の紙基材やポリエステルフィルム等を用いることができる。また、剥離体の厚みは、特に限定はされないが、通常、２０μｍ以上、好ましくは、４０μｍ以上であり、その上限値は５００μｍ程度である。
【００５７】
ライナー４は、凹部１０の底部１０ｂにおける中心から偏倚した位置と連結部１２の曲線状外側辺１４の位置とを結ぶ一対のスリット５によって三分割されたライナー片４ａ，４ｂ，４ｃにて形成されている。また、スリット５は波形曲線状に形成されている。
【００５８】
このようにライナー４を三分割のライナー片４ａ，４ｂ，４ｃにて形成することによって、中央部のライナー片４ａを剥がしても、両端部のライナー片４ｂ、４ｃが残り、粘着面に触れることなく貼付できるようになり、貼付を容易にすることができる。この場合、三分割された中央部のライナー片４ａを広くすることができるので、位置合わせを容易にすることができる。また、スリット５は上記の如く設けられるので、ライナー片剥離時の剥離方向を大きく変えることがなく、貼り皺を抑制することができる。
【００５９】
次に、貼付材１の製造方法について説明する。
＜製造方法＞
支持体２への粘着加工は、ライナー４上に、粘着剤液を慣用の方法で均一に塗布し、乾燥して、あるいはホットメルト塗工にて粘着剤３層を形成した後、支持体の表面に貼り合わせて巻き取り、粘着テープ原反を得る。
【００６０】
粘着剤３の塗布厚みは、乾燥後で、通常、５〜５００μｍ、好ましくは３０〜３００μｍである。貼付材１は、粘着テープ原反をレザー刃等により原反幅方向に１５０〜３５０ｍｍ程度の細幅となるように裁断した後、一定の長さに巻き取り粘着テープロールとし、その粘着テープロールをレシプロ式裁断機などによって上述した形状に切り抜いて（同時に、スリットを設けるためライナーのみハーフカットを行う場合もある。）、あるいは支持体２および粘着剤３層のみハーフカットし、貼付材１を作製する。
【００６１】
次に、貼付材１の使用方法の一例について説明する。
＜使用方法＞
上記のように形成された貼付材１を関節部例えば膝に貼る場合は、以下の手順で行うことができる。まず、中央部のライナー片４ａを剥がして、露呈した粘着剤３を膝蓋骨２０の下部に貼る。次に、左右のライナー片４ｂ、４ｃのいずれか一方例えばライナー片４ｂを剥がして、露呈した粘着剤３を膝蓋骨２０の一方の側部に貼る。そして、残りのライナー片４ｃを剥がして、露呈した粘着剤３を膝蓋骨２０の他方の側部に貼って、膝蓋骨２０の下部及び両側部を覆うように貼付材１を貼ることができる（図４（ａ）参照）。
ただし、１方向のみ伸縮性があり他方向は伸縮性が無い支持体からなる貼付材の場合は、支持体の伸縮性を有する方向が関節部の屈曲方向となるように貼付する。
【００６２】
上記実施形態の貼付材１によれば、支持体２は、厚みがありコシがあるため、丸まり難く貼り易い。また、貼付中に端部がめくれても丸まりにくいため、衣服にくっつき難い。また、全体が丸みを有するＵ字状に形成されているので、使用時や貼付時に痛くないようになっている。
【００６３】
また、 関節を包み込みサポート感、ホールド感のある貼り心地で使用者に安心感を与えることができる。張力ではなく支持体２のコシによるものなので、テープを伸ばして貼らなくても効果が得られるため皮膚刺激が起き難いという利点がある。
【００６４】
また、関節の屈曲部にフィットしやすく剥がれにくい形状であるため、方形の貼付剤を関節に貼ると関節突起部に著しい張力がかかるため剥がれの原因となるが、横長Ｕ字型形状とすることで、関節突起部の膝蓋骨２０の頂点を避けて貼ることができ、関節の屈曲動作は妨げず、膝蓋骨のぐらつきを抑えることができる。なお、関節の痛みは主に腱や靭帯等で起こるため、関節突起部の膝蓋骨２０を覆う必要はない。また、膝上部が覆われていないため、膝痛予防のための運動をする者に適した形状である。
【００６５】
また、コンパクトなＵ字型なので貼り易い。また、膝に貼付する際、膝の角度を選ばない。すなわち、図４（ｂ）に示すように、椅子等に座って膝の角度が略直角で引っ張ることなくそのまま貼付しても、皺がよることが無く、深く屈曲した際にも突っ張り感が抑制され、また剥れ難い。
【００６６】
本発明に係る貼付材１は、上述した膝の他に、肘、肩などの関節部に特に適した性状、形状であるが、腰などの平面部にも使用可能なため貼付部位を限定しない。
【００６７】
また、両腕部１１，１１の基端側と連結部１２を結ぶ外側辺１４が、内方に凹んだ凹円弧部１３ａを有する緩やかな曲線状に形成され、凹部１０と対向する外側辺に凹円弧部１３ｂが形成されているので、関節に隣接する長管骨（脛骨や上腕骨等）の凹凸に沿うことで衣服と擦れにくくなり、めくれや剥がれを防ぐことができる。
【００６８】
更に、ライナー４は三分割された３枚のライナー片４ａ，４ｂ，４ｃにて形成されているので、位置合わせ、仮貼りがし易い。この場合、スリット５は波形曲線状に形成されているので、２〜３枚目のライナー片４ｂ、４ｃのつかみ部６を３箇所設けることで、ライナー片４ｂ、４ｃの剥離を容易にすることができるので、容易にかつ確実に貼付することができる。
【００６９】
なお、 中央部のライナー片４ａは広いが、コシのある支持体２と組み合わせることにより片手で扱っても丸まって粘着剤面同士がくっついてしまうことが起き難い。
【００７０】
上記貼付材１において、粘着剤３に鎮痛消炎剤の薬効成分を１種又は２種以上含有させることが好ましい。具体的な鎮痛消炎剤として、サリチル酸、サリチル酸メチル、サリチル酸グリコール、アセチルサリチル酸、Ｌ−メントール、カンフル（Ｄ体、Ｌ体、ＤＬ体）、ハッカ油、チモール、ニコチン酸ベンジルエステル、トウガラシエキス、カプサイシン、ノニル酸ワニリルアミド、フェルビナク、フルフェナム酸ブチル、ピロキシカム、インドメタシン、ケトプロフェン、プラノプロフェン、フェプラゾン、フルルビプロフェン、ロキソプロフェン、アンフェナクナトリウム、オキサプロジン、エモルファゾン、チアプロフェン、フェンブフェン、フェンチアザック、ジクロフェナクナトリウム、ジフルニサール、イブプロフェンピコノール、ベンダザック、スプロフェン、塩酸ブプレノルフィン、ペンタゾシン、酒石酸ブトルファノールが挙げられる。
【００７１】
このように粘着剤３に薬効成分を含有させることにより、更に薬効成分による消炎鎮痛剤の浸透で関節痛を緩和することができる。したがって、関節痛で運動を敬遠している者にとっては、運動ができるレベルまで痛みを和らげることができる。
【実施例】
【００７２】
以下に本発明の実施例について具体的に説明する。本発明は実施例に限定されるものではなく、本発明の技術的思想が含まれる範囲内での応用が可能である。
【００７３】
＜実施例１、２＞
次のホットメルト型粘着剤組成物を加熱容器内で溶融混合し、
＜粘着剤組成＞
（ａ）熱可塑性エラストマー〔（ａ１）ＳＩＳブロック共重合体（１）、ＪＳＲ株式会社製のＳＩＳ５００２〕  ２５．３質量部
（ａ）熱可塑性エラストマー〔（ａ２）ＳＩＳブロック共重合体（２）、日本ゼオン株式会社製のクインタック（登録商標）３５２０〕  １０．９質量部
（ｂ）粘着付与樹脂〔（ｂ１）荒川化学工業株式会社製のロジン系樹脂、ＫＥ−３１１〕  ２１．７質量部
（ｂ）粘着付与樹脂〔（ｂ２）ヤスハラケミカル株式会社製のテルペン系樹脂、ＹＳレジンＰＸ１１５０Ｎ〕  １４．５質量部
（ｃ）軟化剤〔カネダ株式会社製のパラフィン系オイルである流動パラフィン、ハイコール（登録商標）Ｍ−３５２〕    ６．０質量部
（ｄ）軽質合成ケイ酸アルミニウム（協和化学工業株式会社製）  ３．０質量部
（ｅ）薬物  ２０．６２質量部(合計含有量)
＜薬物の内訳＞
サリチル酸メチル  ８．３質量部
ｌ−メントール    ８．３質量部
ｄｌ−カンフル    ４．０質量部
ノニル酸ワニリルアミド  ０．０２質量部
（ｆ）老化防止剤〔ＢＨＴ（ジ−tert−ブチルヒドロキシトルエン）〕  ０．３５質量部  シリコーン処理７５μ厚ポリエステルフィルム（ライナー）にホットメルト塗工（１５０ｇ／ｍ2）した積層体を、粘着剤側でポリエステル素材の緯編の編布（目付：１８０g/ｍ2、糸太さ：７５デニール）に貼り合せて三層構造の貼付材原反とし、次に図５（II）の形状２（ｘ＝４０、ｄ＝１．３７５ｘ＝５５、ｗ＝１．２５ｘ＝５０、ｈ＝０．７１（ｘ＋２ｗ）＝１００）の形状に打抜いて、更にライナー４部のみに図２に示す通り切れ目（スリット）を設けて、実施例１および２の試料とした。なお、上記形状２の寸法の単位はｍｍであり、以下に示す形状も同様である。
【００７４】
＜実施例３＞
実施例１と同じ原反を図５（IV）の形状４（ｘ＝４０、ｄ＝１．５ｘ＝６０、ｗ＝１．２５ｘ＝５０、 ｈ＝１．０（ｘ＋２ｗ）＝１４０）の形状に打抜いて、実施例３の試料とした。
【００７５】
＜実施例４＞
アクリル系粘着剤（モノマー重量比が、２−エチルヘキシルアクリレート／アクリル酸＝９６／４の溶液重合共重合体）固形分１００質量部に対して、エポキシ系架橋剤（テトラッドＸ、三菱ガス化学社製）０．０２部及び金属キレート化合物架橋剤（ナーセムアルミニウム、日本化学産業株式会社製）０．１質量部を添加した有機溶剤溶液を、乾燥後塗布量４８g/ｍ2となるように乾燥させた粘着剤を用いたこと以外は実施例１と同様にして作製した。
【００７６】
＜実施例５＞
ポリエステル素材の緯編の編布（目付：１４０g/ｍ2、糸太さ：３０及び７５デニール）を用いたこと以外は実施例４と同様にして作製した。
【００７７】
＜実施例６、実施例７＞
ポリエステル素材の緯編の編布（目付：２０６g/ｍ2、糸太さ：９９デニール）を用いたこと以外は実施例４と同様にして作製した。
【００７８】
＜実施例８、比較例１＞
ポリウレタン混合綿織物（目付：１６０g/ｍ2、縦横の糸の性状が異なる）を用いたこと以外は実施例４と同様にして作製した。実施例８と比較例１は、原反に対する方向が互いに直角になるように裁断した。
【００７９】
＜比較例２、３＞
実施例１と同じ原反を図５（Ｉ）の形状１（１００×１４０）の長方形に打抜き、長辺方向の略中央部に短辺方向に平行にライナー部のみに切れ目を設けて、比較例２，３の試料とした。
【００８０】
＜比較例４＞
実施例１と同じ原反を図５（III）の形状３（ｘ＝３０、ｄ＝３．０ｘ＝９０、ｗ＝１．１７ｘ＝３５、 ｈ＝１．４（ｘ＋２ｗ）＝１４０）の形状に打抜いて、比較例４の試料とした。
【００８１】
＜比較例５＞
ポリエステル素材の緯編の編布（目付：１２０g/ｍ2、糸太さ：５０デニール）を用いたこと以外は実施例４と同様にして作製した。
【００８２】
＜比較例６＞
ポリエステルフィルム（厚さ；３８μm）を用いたこと以外は実施例４と同様にして作製した。
【００８３】
＜比較例７、比較例８＞
ポリエステル素材の経編の編布（目付２２７g/ｍ2）を用いたこと以外は実施例４と同様にして作製した。比較例７と比較例８は、原反に対する方向が直角に異なるように裁断した。
【００８４】
＜比較例９＞
実施例１と同じ原反を図５（Ｖ）の形状５（ｘ＝２５、ｄ＝６．４ｘ＝１６０、ｗ＝１．４ｘ＝３５、ｈ＝２．２１（ｘ＋２ｗ）＝２１０）の形状に打抜いて、比較例１０の試料とした。
【００８５】
＜評価方法＞
各試料を、一方の膝部に午前中に貼付して、通常に生活をし、貼付８時間後に剥離した。計１６種類の試料を一日一種類ずつ順次行った。その間の状態を次の項目で評価を行った。貼付は、椅子に座り膝が略直角に曲げられた状態で、各試料のセパレータ切片（ライナー片）の一部を剥してから粘着面を皮膚に接着させ、次に他のセパレータ切片（ライナー片）を剥しながら、端部を引っ張ることなくそのまま順になぞる様に接着させた。
【００８６】
なお、実施例１、実施例３〜６，８、比較例１、比較例４〜８は、Ｕ字内周が膝蓋骨を取り囲むように、かつＵ字底部を膝の下側、両腕部を膝の左右に位置するように貼付した。実施例２、実施例７、比較例９はＵ字内周が膝蓋骨を取り囲むように、かつＵ字底部を膝の外側、両腕部を膝の上下に位置するように貼付した。比較例２は膝蓋骨に被せるように長辺方向を縦方向にして、比較例３は長辺方向を横方向にして貼付した。
【００８７】
上記１６種類の試料について以下の項目の評価を行った。
（１）膝を曲げた時の突っ張り感
○：突っ張り感無く、関節を屈曲することができる。
△：テープが突っ張るが、関節を屈曲することができる。
×：テープが突っ張るため関節を屈曲することができない。
【００８８】
（２）貼付中の膝のサポート感
◎：関節を圧迫・支持することにより、しっかりしたサポート感を感じる。
○：関節を圧迫・支持することにより、サポート感を感じる。
△：関節を圧迫・支持することにより、サポート感をやや感じる。
×：サポート感を感じない。
【００８９】
（３）薬物による消炎鎮痛効果
○：消炎鎮痛効果あり
×：消炎鎮痛効果はない
【００９０】
（４）貼りやすさ
○：貼りやすい
△：やや貼りにくい
×：貼りにくい
【００９１】
（５） 衣服との摩擦
○：問題ない 
△：やや摩擦あるが問題ない 
×：こすれて問題あり
【００９２】
（６）剥がれにくさ
○：剥がれにくい
△：どちらともいえない
×：剥がれやすい
【００９３】
＜測定方法＞
・厚さ； 支持体と粘着剤の積層体の厚さ（ｍｍ）は、ダイヤルシックネスゲージを用いて測定した。３箇所の平均値をそれぞれの厚さの測定値とした。
【００９４】
・剛軟度；カンチレバー試験ＪＩＳ  Ｌ  １０９６による。各貼付材の試験片は、支持体原反長手（ＭＤ）方向について、幅２５ｍｍ、長さ１５０ｍｍの短冊状に裁断したものとした。４５°の斜面をもつ、表面が滑らかな水平台の上にサンプルの短辺をスケール基線に合せて置き、適当な方法によって試験片を斜面の方向に緩やかに滑らせて２０秒以内に試験片が倒れた時、水平台側の端の位置をスケールから読み取った。剛軟度は試験片が移動した長さ（ｍｍ）で示され、３枚の平均値を剛軟度の測定値とした。なお、測定は全て各貼付材の支持体面を下にして行った。
【００９５】
・１０％引張荷重、５０％引張荷重；ＪＩＳ  Ｋ  ７１１３に準じて引張試験を行い、引張荷重の測定を行った。各貼付材の試験片は、支持体原反長手（ＭＤ）方向およびその垂直（ＣＤ）方向に、各幅２５ｍｍ、長さ１００ｍｍの短冊を裁断したものを用いた。チャック間が５０ｍｍになるように両端に布粘着テープ＜ＬＳ＞Ｎｏ．１２３（ニチバン株式会社製）を貼付し、引張強度測定用の試験片を作製し、テンシロン型引張試験機のクロスヘッドに上記５０ｍｍのつかみ間隔で取り付けた。上部クロスヘッドを３００ｍｍ／ｍｉｎの速度で上げ、上記試験片を引っ張った。引張り長さが元の試験片を基準として、１０％伸張に至ったときの荷重を１０％引張荷重とし、５０％伸張に至ったときの荷重を５０％引張荷重とした。引張荷重の単位は、ニュートン（Ｎ）／２５ｍｍで表した。各貼付材のＭＤおよびＣＤ方向について各３枚ずつ試験片を裁断し、３枚全てについて上記測定を行った。３枚の平均値をそれぞれの引張荷重の測定値とした。測定の条件をまとめると以下の通りである。
【００９６】
＜試験条件＞
試験機：テンシロン型引張試験機
試験片：幅２５ｍｍ、長さ１００ｍｍ
つかみ間隔：５０ｍｍ
クロスヘッド移動速度（引張速度）：３００ｍｍ／ｍｉｎ
繰返し試験数：ｎ＝３
測定雰囲気：２３℃、５０％ＲＨ
【００９７】
上記試験条件で実施例１〜８と比較例１〜９について試験を行ったところ、表１、表２に示す結果が得られた。なお、表１、表２において、粘着剤を膏体とし、膏体配合のアクリル系は実施例４記載の粘着剤、ＳＩＳ系は実施例１，２記載の粘着剤を示す。また、表１、表２において、ＭＤ−縦は、支持体原反長手（ＭＤ）方向が貼付材のＵ字型形状の縦方向（ただし、比較例３は長方形の長辺方向）であることを、ＭＤ−横はＭＤ方向が貼付材のＵ字型形状の横方向（ただし、比較例２は長方形の短辺方向）であることを意味する。
【００９８】
【表１】
2018029859.tif 000003
【００９９】
【表２】
2018029859.tif 000004
【０１００】
上記評価試験の結果、実施例１，３〜６，８においては、（１）膝を曲げた時の突っ張り感、（２）貼付中の膝のサポート感、（４）貼りやすさ、（５） 衣服との摩擦、（６）剥がれにくさ、のいずれにおいても良好であった。実施例７においては、評価（１）、（５）、（６）は、良好とは言えないが問題はなく、その他の評価（２）、（４）は良好であった。なお、実施例２は、貼り方を膝の上下方向に対して横方向にしたため、衣服との摩擦がややあるが、その他の評価（１），（２），（４），（６）は良好であった。
【０１０１】
これに対して、比較例１〜９においては、評価（１），（２），（４）〜（６）の全てを満足するものはなく、比較例１〜３，６〜８においては、膝を屈曲して突っ張るときに剥がれやすい。比較例５においては、コシがないため、めくれると丸まり衣服にくっつき剥がれやすい。また、比較例４と比較例９は、表２に記載した理由により剥がれやすい等の問題があった。
【符号の説明】
【０１０２】
１  関節部貼付材
２  支持体
３  粘着剤
４  ライナー
４ａ，４ｂ，４ｃ  ライナー片
５  スリット
６  摘み部
１０  凹部
１０ａ  開口
１０ｂ  底部
１１  腕部
１２  連結部
１３ａ  凹円弧部
１３ｂ  凹円弧部
１４  外側辺
【図１】
2018029859.tif 000005
【図２】
2018029859.tif 000006
【図３】
2018029859.tif 000007
【図４】
2018029859.tif 000008
【図５】
2018029859.tif 000009